(57)【要約】【課題】  本発明は、端部を単一平面で切断することでできる端面の楕円形を、切断の方法を変えることで、または２本の円柱や角柱を使うことで、ハートの形を出現させ、今までにない魅力を創出することを目的とする。【解決手段】  上下方向に立てた略円柱の上端部において、略円柱の中心線と、平面が４５°〜１５０°で折られた谷の線が、谷を下にした状態で該中心線と２０°〜７０°の角度で交わり、該折られた平面で、略円柱が切断されることにより、断面形状がハート形に形成されるものである。  また、平行に互いに接している２本の略円柱または略角柱を、その中間面上の柱に平行な方向の中心線と、中間面上で２０°〜７０°の角度で交わる線を中心線とした、略円柱の直径または略角柱の幅と同程度の円柱形で削取されることにより、略円柱または略角柱上の円柱形である削取形状がハート形に形成されるものである。【選択図】図６
2019145257.tif 000002
【特許請求の範囲】
【請求項１】
略円柱の端部において、略円柱の中心線と、
平面が４５°〜１５０°で折られた谷の線が、
中心線と２０°〜７０°の角度で傾いて交わり、
折られた平面で、略円柱が切断されることによりできる断面形状を特徴とする略円柱物品。
【請求項２】
平行に互いに接している２本の略円柱または略角柱を、
その中間面上の柱に平行な方向の中心線と、中間面上で２０°〜７０°の角度で交わる線を中心線とした、略円柱の直径または略角柱の幅と同程度の円柱形で削取されることによりできる、略円柱または略角柱上の削取形状を特徴とする略円柱または略角柱物品。
【発明の詳細な説明】
【技術分野】
【０００１】
本発明は、ハートの形が形成された照明器具、容器類、キッチン用具、筆記用具などの物品に関するものである。
【背景技術】
【０００２】
筒型の灯篭や、照明器具など、円柱状、または円筒状の物品は、その端部を単一平面で切断した端面とするものか、球状に加工したものが多かった。
また、２本の円柱や角柱の、端部以外を使って、特段の形を表現しようとするものは無かった。
【先行技術文献】
【特許文献】
【０００３】
【特許文献１】特許第3718421号公報
【発明の概要】
【発明が解決しようとする課題】
【０００４】
本発明は、端部を単一平面で切断することでできる端面の楕円形を、切断の方法を変えることで、または２本の円柱や角柱を使うことで、ハートの形を出現させ、今までにない魅力を創出することを目的とする。
【課題を解決するための手段】
【０００５】
請求項１に示す本発明は、上下方向に立てた略円柱の上端部において、略円柱の中心線と、平面が４５°〜１５０°で折られた谷の線が、谷を下にした状態で該中心線と２０°〜７０°の角度で交わり、該折られた平面で、略円柱が切断されることにより、断面形状がハート形に形成されるものである。
略円柱とは、円柱だけでなく、水平横断面が円でかつ、円錐や逆円錐（尖ったところが下になる）や、縦断面が楕円や双曲線や放物線の一部となるところの楕円面や双曲面や放物面を持った鉛筆のキャップのような形も含む。
なお略円柱は、内部が詰まったもののことも、内部が空洞となっている円筒のことも言う。
また「上端部」は、逆さまにすれば下端部のことであるが、説明のために「上端部」とした。
【０００６】
略円柱を切断する折られた平面は、その谷線を下にし、左右の面の傾きはほぼ同じにする。
切断されるとは、実際に切断されるだけでなく、切断されればそのような形になるよう形成されることを言い、金型などを使って樹脂などを成型する場合も言う。
また、円柱の途中に光を反射したりする面や光が透過する着色層を形成することも言う。
【０００７】
形成される断面形状は、円柱であれば、中央で谷折れしたハート形であり、円筒であれば、谷折れしたハートの外形を示す形となる。また、略円柱が円錐や放物面柱である場合も円柱と同様の形となり、円錐や放物面柱の内部が空洞の場合は、円筒と同様の形となる。
略円柱形物品とは、略円柱形の照明器具や、入れ物、花器、花瓶、食器、箱などの容器類、筆記具、箸、箸置き、人形の胴、蝋燭、菓子などを言う。
【０００８】
請求項２に示す本発明は、互いに接している同形状の２本の略円柱または略角柱を、その２本の柱の中間面上の、２本の柱中心線に平行な中心線と、中間面上で２０°〜７０°の角度で傾いて交わる線を中心線とした、略円柱の直径あるいは略角柱の幅と同程度の直径の円柱で削取させることによりできる、略円柱または略角柱上の削取形状が、ハート型に形成されることを特徴としている。
略円柱とは、円柱だけでなく、水平横断面が円でかつ、円錐や逆円錐や、縦断面が楕円や双曲線や放物線の一部となるところの楕円面や双曲面や放物面を持った鉛筆のキャップのような形も含む。
また略角柱とは、角錐や縦断面げ放物線となるような角柱で、角柱の面と面をつなぐ稜線が円弧となっているものも含む。
【０００９】
中間面とは、略円柱であれば２本の略円柱の中間に位置する平面で、２本の略円柱の中心線を結ぶ線の中間点を通り、２本の柱の中心線から等距離にある点を含む平面のことで、その中心線とは２本の略円柱の中心線の中間点を結ぶ線である。
削取されるとは、実際に削取されるだけでなく、削取されればそのような形になるよう形成されることを言い、金型などを使って樹脂などを成型する場合も言う。
また、透明や着色透明などの柱の途中に光を反射したりする面や光が透過する着色層を形成することも言う。
【００１０】
形成される削取形状は、それぞれの柱の削取面の全体が見えるよう削取底線と直角になる方向の正面から見た形は楕円形であり、２本の柱では、左右対称に現れる。
略円柱状または略角柱状物品とは、筆記具、箸、こけし人形の胴、蝋燭、スプレー缶、拍子木、などを言う。また棒状のアクセサリーやお菓子なども言う。
【発明の効果】
【００１１】
請求項１に記載の発明は、その端面にハート型が出現し、魅力にある製品となる。
なお、折られた平面の角度が４５°以下の場合は、切り込みが深くなりハートの形に見え難くなる。また１５０°以上になると切り込みが浅くなりやはりハートの形に見え難くなる。
また、折られた平面の谷の線が、中心線と交わる角度が２０°以下では、ハートの下先と上の凹みが円に近い形となりハートの形に見え難くなる。また７０°以上では、ハートが細長くなりハートの形に見え難くなる。
【００１２】
請求項２に記載の発明は、２本の略円柱または略角柱が並べて置かれるとハートの形が出現し、魅力にある製品となる。
なお、削取される略円柱または略角柱の中心線と削取させる円柱の中心線と交わる角度が２０°以下では、ハートが細長くなりハートの形に見え難くなる。また、７０°以上では、ハートの下先と上の凹みが円に近い形となりハートの形に見え難くなる。
【図面の簡単な説明】
【００１３】
【図１】請求項１に示す円筒の本発明を示す正面図
【図２】請求項１に示す円柱の本発明を示す正面図
【図３】請求項１に示す切断方法の説明図
【図４】円柱の本発明で図２の上部に位置する形状の器具の正面図
【図５】請求項１に示す本発明の実施の形態４を示す図
【図６】請求項１に示す略円柱である逆円錐形柱の本発明の正面図
【図７】請求項１に示す略円柱である円錐形柱の本発明の正面図
【図８】請求項１に示す略円柱である放物面柱の本発明の正面図
【図９】請求項１に示す本発明の実施の形態８の箸置きの正面図
【図１０】請求項２に示す略円柱の本発明の実施の形態９を示す図
【図１１】請求項２に示す本発明の削取方法の説明図
【図１２】請求項２に示す本発明の削取方法の説明図
【図１３】請求項２に示す略円柱の本発明の製造方法の説明の斜視図
【図１４】請求項２に示す略角柱の本発明の製造方法の説明の平面図
【図１５】請求項２に示す略角柱の本発明の実施の形態１０を示す図
【図１６】請求項２に示す角柱の本発明の説明図
【図１７】請求項２に示す本発明の実施の形態１１を示す図
【発明を実施するための形態】
【００１４】
図１は、実施の形態１で、円筒下部１-２の位置に光源を入れた照明器具である。円筒１の中心線４と、平面２が９０°で折られてできた谷線３が、中心線４と３５°の角度で交わり、平面２で円筒１が切断されることによってできる面がハート形面２-１となっている。
円筒が透明アクリル樹脂など、光を透過する材質であれば、平面２がハート形に光り、美しい。
円筒の底が塞がっている場合は、ハート形の口を持つ、コップ、ピッチャー、鉛筆立て、円柱箱などの容器などになる。
また、門松の竹の上端や、笛の先をハート形にすることもできる。
【００１５】
図２は、実施の形態２で、円柱１の下方の入光位置５から、円柱１の入光面１-３を通して光が入り、上端のハート形面２-１が光る照明器具である。円柱１の中心線４と、平面２が９０°で折られた谷線３が、中心線４と３５°の角度で交わり、平面２で円筒１が切断されることによってできる平面２がハート形面２-１となっている。
円柱がＬＥＤのカバーであれば、小さなハート形で光るＬＥＤとなる。
また、円柱の、ペーパーウエイト、印鑑、ビンやポットやスプレー缶のフタなどにも本発明を実施できる。また、ハート形が女性を象徴しているとも考えられることからチェスのクイーンとしても実施することができる。
【００１６】
図３は、図２の切断説明図である。左下はその側面図、右上は平面２を谷線３の延長上でBの方向から見た図である。円柱１の中心線４と、平面２が角度Cの９５°で折られてできた谷線３が、中心線４と角度Aの５５°で交わり、平面２で円筒１が切断されることを示している。
【００１７】
図４は、実施の形態３で、シャンデリアなどに使う照明器具の飾りで、円柱１は透明である。円柱１の上方の入光位置５から円柱１の上端の入光面１-３に光が入り、下端のハート形面２-１で乱反射し、ハート型が光る。これは円柱１から、図２の形を切り取った残りの形である。
【００１８】
図５は、実施の形態４で、実施の形態３と同様シャンデリアなどの飾りに使う照明器具の飾りで、上方の入光位置５から透明円柱１の上端の入光面１-３に光が入り、ハート形面２-１で反射し、ハート形が光る。ハート形面２-１の上下に円柱１があるので、透明円柱１の中にハートの形があるように見える。
ハート形面２-１は、乱反射面や蒸着などにより虹色に光る面であってもよい。また薄い着色層で、色付きのハート形が見えるようになっていてもよい。
【００１９】
図６は、実施の形態５で、略円柱１は内部が空洞の逆円錐のアイスクリームコーンである。上端部はハート形面２-１となっている。
【００２０】
図７は、実施の形態６で、略円柱１は内部が空洞の円錐である。２点破線で示すコケシ人形６に被せて、コケシ人形の服にしたものである。
【００２１】
図８は、実施の形態７で、略円柱１は内部が空洞の楕円柱である。２点破線で示す人形６を入れて、ひな人形の服にしたものである。
【００２２】
図９は、実施の形態８で、箸置きである。円柱１は短く、円柱１の中心線４と、平面２が１５０°で折られた谷線３が、中心線４と８０°の角度で交わり、円柱１の上端がハート形面２-１となっている。
【００２３】
図１０は、実施の形態９で、図１０イはその正面図、ロは側面図、ハの右は側面ロを左回りに３０°回転させたものと、それを垂線に対称にしたものをその左に置き、くっ付けて並べたところを示す図である。
円柱１の削取稜線７で囲まれる場所には充填材８が削取する前の円柱１の形を再現する形で埋められている。充填材８は、液状の樹脂を固めたものや、円柱の棒を削ったものであってもよい。
３０°回転させると、ハートがよりハートらしく見える。
【００２４】
図１１、図１２は、実施の形態９の削取方法を示す図で、充填材８が入れられていない状態を示している。イロハの図は、実施の形態９のイロハの図と対応している。削取底線９は、円柱１の中心線４と交わっている。すなわち、円柱１の直径の半分の深さまで削り取られている。
削取面１０は、削取底線９の延長上の矢印Bの方向から見ると、図１２の右上に示すように半円形である。
【００２５】
なお図１３に示すように、請求項２に示す略円柱の本発明は、略円柱２本を並べた大きさである２本分の柱１-４の中央に斜めから円柱状の穴を開け、その穴に円柱８-２を挿入し接着した後、円柱８-２の飛び出た部分８-３を切り、２本分の柱１-４を破線１１で半分に切り、その後略円柱に形を整えて作ると作り易い。
また、図１４に示すように請求項２に示す略角柱の本発明は、角どうしをくっ付けて並べた形である２本分の柱１-４の中央に斜めから円柱状の穴を開け、その穴に円柱８-２を挿入し接着した後、円柱８-２の飛び出た部分８-３を切り、２本分の柱１-４を破線１１で切り、その後略角柱に形を整えて作ると作り易い。
【００２６】
図１５は、実施の形態１０で、略四角柱の箸の上部を示す。図１５ロはその正面図、イは左側面図、ハは右の正面と、左に正面と垂線に対称なものをくっ付けて並べたところの図である。略四角柱１の削取稜線７で囲まれる場所には充填材８が削取する前の略四角柱１の形を再現する形で埋められている。充填材８は、液状の樹脂を固めたものや、円柱の棒を削ったものであってもよい。
【００２７】
図１６は、実施の形態１０の削取方法を示す図で、削取底線９の延長上から矢印Bの方向を見ると、右上に示すように半円形である。但し図の左下は４５°上方から見た斜視図で、右上は左下図の右側面図である。
【００２８】
図１７は、実施の形態１１で、アクセサリーである。２本の円柱１に請求項２に示すハート形が施され、円柱に下端部には請求項１に示すハート形が施されている。
【符号の説明】
【００２９】
１    円柱または円筒の略円柱、または略角柱
１-２    円筒下部
１-３    入光面
１-４    略円柱または略四角柱２本分の柱
２    平面
２-１    ハート形面
３    谷線
４    円柱または円筒の略円柱、または略角柱の中心線
５    入光位置
６    人形
７    削取稜線  
８    充填材
８-２    挿入円柱
８-３    挿入円柱８-２の飛び出た部分
９    削取底線
１０    削取面
１１    切断線
１２    吊り紐
【図１】
2019145257.tif 000003
【図２】
2019145257.tif 000004
【図３】
2019145257.tif 000005
【図４】
2019145257.tif 000006
【図５】
2019145257.tif 000007
【図６】
2019145257.tif 000008
【図７】
2019145257.tif 000009
【図８】
2019145257.tif 000010
【図９】
2019145257.tif 000011
【図１０】
2019145257.tif 000012
【図１１】
2019145257.tif 000013
【図１２】
2019145257.tif 000014
【図１３】
2019145257.tif 000015
【図１４】
2019145257.tif 000016
【図１５】
2019145257.tif 000017
【図１６】
2019145257.tif 000018
【図１７】
2019145257.tif 000019